(57)【要約】【課題】識別ラベルを読み取ることによって使用者がスピーディに薬品の製造ロット番号及び使用有効期限を知ることができ、有効に薬品の品質管理を行う薬品調剤審査識別ラベルを提供する。      【解決手段】薬品調剤審査識別ラベルは、薬品上に設置し、薬品識別ユニットを含んでその薬品名称を識別する。そのうち更に製造ロット番号識別ユニット及びタイム識別ユニットを含み、その製造ロット番号識別ユニットはその薬品の製造ロット番号を識別し、またタイム識別ユニットは薬品の使用有効期限を識別する。【選択図】図２
0003135361.tif 000002
【実用新案登録請求の範囲】
【請求項１】
識別ラベルを薬品上に設置し、そのうち薬品識別ユニットを含む薬品調剤審査識別ラベルにおいて、その識別ラベルは更に製造ロット番号識別ユニット及びタイム識別ユニットを含み、その製造ロット番号識別ユニットは薬品の製造ロット番号を識別し、タイム識別ユニットは薬品の使用有効期限を識別することを特徴とする薬品調剤審査識別ラベル。
【請求項２】
前記薬品識別ユニットは、薬品名称を識別することを特徴とする請求項１記載の薬品調剤審査識別ラベル。
【請求項３】
前記識別ラベルは、バーコード、記号、ＲＦＩＤもしくは二次元バーコードとすることを特徴とする請求項１記載の薬品調剤審査識別ラベル。
【請求項４】
前記薬品調剤審査識別ラベルは、更に一識別ラベルを読み取る読取装置及び表示装置に於いて、読取装置で識別ラベルを読み取り、その読み取った識別ラベルをデータと相対して表示装置上に表示することを特徴とする請求項１記載の薬品調剤審査識別ラベル。
【請求項５】
前記読取装置は、更に比較装置を設置し、薬品の使用有効期限が超過しているか否かを判断し、もしも期限超過している時には表示装置上に表示することを特徴とする請求項４記載の薬品調剤審査識別ラベル。
【請求項６】
前記読取装置は、更にデーターバンクに連接し、処方箋を入力するのに用い、薬剤師が調剤を準備している時に読取装置で薬品上の識別ラベルを読み取り、比較装置で薬品と処方箋が開示した薬品内容が同じかどうかを比較し、且つ薬品の用量が一致するかどうかを比較し、もしも一致しない時には表示装置に表示することを特徴とする請求項５記載の薬品調剤審査識別ラベル。
【考案の詳細な説明】
【技術分野】
【０００１】
本考案は、薬品調剤審査識別ラベルに関するもので、特に即座に薬品の製造ロット番号及び使用有効期限を知り、有効に薬品の品質管理をする識別ラベルである。特に病院、診療所等医療現場での薬の調剤時に、調剤のミス、用量ミスもしくは薬品の期限超過等医療ミスを減らす。
【背景技術】
【０００２】
一般スーパーマーケット、コンビニエンスストア(以下コンビニに略称)で販売する商品(例として食品)、もしくは薬局で販売する商品(例として薬品)等の包裝商品には商標ラベルが設置され、更に店ではレジスター等とエンド装置が連接したバーコード読取機で読み取って商品購入の決済を行い、同時に販売額、商品管理等の管理データとする。また商品添付の商品ラベルは後方の工場(コンビニの加工工場もしくは薬メーカー)等に設置することにより、ＰＣ等と連接したラベルプリンタがラベルを発行する。図１に示すとおり、この商品ラベルプリントには商標部門コード、品名、商品呼出コード、金額、消費期限、製造もしくは加工月日タイム等消費期限文字があり、更に薬品識別ユニット等のバーコードを記録する。
【０００３】
一般商品上に使用するバーコードはＪＡＮコードで、そのコードシステムと桁数が規定を受けて標準化する。またバーコードの下プリントはバーコードの文字コードに対応する。プリントした図１のラベルのバーコードは標準のＪＡＮコードを表示し、そのバーコードは通常１３桁のコードで構成され、前から２桁が国コード、第３桁から第７桁の５桁がメーカーコード、第８桁から第１２桁の５桁が単品コード、第１３桁はチェック単位である。
【０００４】
この他、コンビニもしくは薬局等店の商品在庫検査は、担当者が商品棚上の商品を見て、商品の数量を計算する。特に鮮度を管理する必要がある商品は、商品に添付したラベルにプリントした消費期限を検査して品質管理の処理を行う。しかしながら、人が行う商品管理であるため、消費期限を見間違うこともあり、消費期限タイムが既に超過した商品が陳列棚に置かれたままになって問題が発生することがある。
【０００５】
更に、消費期限が既に超過した商品に気づかなかった時、レジスター等エンド装置の操作者はバーコード読取機でラベルにプリントしたバーコードを読み取って購入決済を行う。ラベルにプリントしたバーコードは、メーカーコード、薬品識別ユニット等を表示するが、消費期限及タイムは表示しない。そのため装置の操作者は気づかずに消費期限が過ぎた商品を顧客に販売してしまう。特に鮮度維持を必要とする加工食品(サンドイッチもしくは弁当等)は食中毒を引き起こしてしまうか、もしくは薬の効果維持を必要する薬品が効果を得られずに治療ができなかったりするため、厳格に品質管理を必要する。もしも消費期限を過ぎた商品の場合は、危険が非常に大きい。
【０００６】
更に毎回食品もしくは薬品を製造する時、使用する内容物もしくはその成分の組み合わせが異なるため、毎回の食品もしくは薬品もやや異なるが、もしも或る食品もしくは商品を使用者が使用した後、異常現象が発生した場合、その時の食品もしくは薬品を回収しなければならないが、通常食品もしくは薬品の流れがわからないため、回収が困難となりやすい。
【考案の開示】
【考案が解決しようとする課題】
【０００７】
解決しようとする問題点は、商品在庫検査は、消費期限の検査するのが人に依るため、見過ごしてしまい、それを消費者に販売してしまったり、商品に問題が発生して回収する必要がある場合に、流通の流れがわからないために回収が困難になってしまう点である。
【課題を解決するための手段】
【０００８】
本考案は、薬品上に設置し、薬品識別ユニットを含んでその薬品名称を識別する。そのうち更に製造ロット番号識別ユニット及びタイム識別ユニットを含み、その製造ロット番号識別ユニットはその薬品の製造ロット番号を識別し、またタイム識別ユニットは薬品の使用有効期限を識別することを最も主要な特徴とする。
【考案の効果】
【０００９】
本考案の薬品調剤審査識別ラベルは、販売額管理、薬品管理を行い、下述の利点がある。
１、使用有効期限の審査：公知の消費期限審査作業は、通常人に依るもので、時間と労力がかかるだけでなく、見過ごしてしまうミスも発生しやすい。この識別ラベルで出荷、入荷を行い、薬品の品質管理もしくは販売時に、同時に審査を行えば、消費期限を過ぎた薬品を販売してしまう危険を防止することができる。
２、販売したロット番号を記録：製造ロット番号の記録に依り、一出荷時の薬品の流れを知ることができるため、薬品を回収しなければならないことが発生した時に、最短で完全に回収作業を行うことができる。
【考案を実施するための最良の形態】
【００１０】
本考案は主に薬品の製造ロット番号及び使用有効期限をスピーディに知り、有効に品質管理を行う識別ラベルである。特に病院、診療所等医療現場の調剤に応用する場合に、調剤ミス、用量ミスもしくは薬品の期限超過等医療ミスを減らす。
【００１１】
上述の目的のため、本考案の識別ラベルは、薬品識別ユニット、製造ロット番号識別ユニット及びタイム識別ユニットを含む。その製造ロット番号識別ユニットは薬品の製造ロット番号を識別し、タイム識別ユニットは薬品の使用有効期限を識別し、読取装置によって識別ラベルを識別し、使用者にスピーディに薬品の製造ロット番号及び使用有効期限を知らせ、有効に品質管理を行う。
【実施例】
【００１２】
本考案「薬品調剤審査識別ラベル」に於いて、その識別ラベル全体は図２に示すとおりである。この識別ラベル１には、薬品識別ユニット１１、製造ロット番号識別ユニット１２及びタイム識別ユニット１３を含む。この薬品識別ユニット１１は薬品名称を識別し、製造ロット番号識別ユニット１２は、薬品の製造ロット番号を識別する。またタイム識別ユニット１３は、薬品の使用有効期限を識別する。本図の実施例中、識別ラベルはバーコードもしくは二次元バーコードとし、当然記号もしくはＲＦＩＤでもよい。
【００１３】
応用時、本考案の識別ラベルは一般薬局が販売する薬品上で管理システムと共に応用する。図３に示すとおり、読取装置２１及び表示装置２２を含み、その読取装置２１はバーコード読取機とし、識別ラベル１を読み取る。また相互に対応するデータを表示装置２２上に表示し、薬品名称、製造ロット番号及び薬品の使用有効期限を表示装置２２上に表示することにより、スピーディにその薬品が消費期限を過ぎているか否かを知る。更にその薬品管理システムには一比較装置２３を設置し、薬品の使用有効期限が超過しているか否かを判断し、もしも期限超過が表示装置２２上に表示された場合、例としてこの比較装置２３が消費日と薬品の使用有効期限を比較して薬品が使用有効期限を超過している時、この表示装置２２は警報効果を発する。その警報效果は画像もしくは音声表現とし、品質管理を行う時、薬品が期限を超過しているか否かをスピーディに知ることができる。更にレジスター等エンド装置の操作者も薬品が期限を過ぎているか否かを知ることができるので、品質管理を更に高め、販売期限を過ぎた薬品を消費者に販売してしまうミスを確実に防止する。更に薬局が処方箋を元に調剤を行う時、一データーバンク(図未提示)と共に使用し、処方箋をデーターバンク中へ入力もしくは伝送し、薬剤師が薬品の調剤を準備する時、読取装置が薬品上の識別ラベルを読み取り、比較装置によってその薬品が、処方箋が開示した薬品と同じ内容かどうか、薬品の用量が一致するかどうかを比較し、もしも一致しない場合には表示装置上に表示し、その表示装置が薬品の用量と一致しない時には警報效果を発し、一致した調剤審査を行う。
【００１４】
更にこの識別ラベル１には製造ロット番号識別ユニット１２があり、図２に示すとおり、この製造ロット番号識別ユニット１２がその薬品の製造ロット番号を識別し、もしもその時の薬品を回収する必要が生じた時、同一の製造ロット番号識別ユニット１２を経て、最短の時間で回収作業を行う。
【００１５】
上述のとおり、本考案は一識別ラベルを提供し、実用新案登録を申請する。以上、実施の説明及び図式は本考案の一実施例に過ぎず、本考案を制限するものではない。以って、本考案の構造、装置、特徴等に近似、雷同するものは全て本考案の申請範囲に属するものとする。
【図面の簡単な説明】
【００１６】
【図１】公知の薬品に添付されたラベル指示図
【図２】本考案の薬品に添付されたラベルの構造指示図
【図３】本考案の識別ラベルを薬品管理システムの構造に応用した指示図
【符号の説明】
【００１７】
１        識別ラベル
１１        薬品識別ユニット
１２        製造ロット番号識別ユニット
１３        タイム識別ユニット
２１        読取装置
２２        表示装置
２３        比較装置
【図１】
0003135361.tif 000003
【図２】
0003135361.tif 000004
【図３】
0003135361.tif 000005